(57)【特許請求の範囲】
【請求項１】
電極を収容した電池外装体と、接続対象物を電池外装体内の電極に対して電気的に接続するための端子構造体とを備え、前記端子構造体は、電極に電気的に接続されて電池外装体の内部に配置された集電体と、外部端子が取り付けられて電池外装体の外部に配置された接続杆と、接続杆と電池外装体との間に介装された絶縁パッキンとを備え、接続杆における外部端子の取付位置と異なる位置が電池外装体に挿通したリベットを介して電池外装体に固定されるとともに集電体に電気的に接続された電池において、前記接続杆は、平板状であり、リベットから外部端子に亘って真直ぐに延びるように形成され、前記外部端子は、ボルトの雄ネジ部で構成されるとともに、接続杆に対して電池外装体の外面と対向する面側から挿通され、前記絶縁パッキンは、リベットが挿通されるとともに、外部端子が配置されるように形成され、且つ前記ボルトの頭を収容するボルト収容凹部が形成されるとともに該ボルト収容凹部の反対側が膨出して前記電池外装体の外面と対向する対向面上に凸部が形成され、電池外装体の外面上には、前記絶縁パッキンの凸部が嵌合する凹部が形成され、前記対向面と直交する方向から見た前記凹部及び前記凸部の外形が多角形状に形成され、凹部の内周面上にある平面部と凸部の外周面上にある平面部とは、接触又は略接触するように嵌合されるとともに、部分的にリベットとボルトとの間に配置されることを特徴とする電池。
【請求項２】
前記絶縁パッキンは、リベットによる電池外装体に対する固定位置から離れた位置に、リベットの軸線と交差する方向で接続杆が接触可能な回転規制部を備えている請求項１に記載の電池。
【請求項３】
前記電池外装体は、前記凹部が一体的に成形されている請求項１又は２に記載の電池。
【請求項４】
電極を収容した電池外装体と、接続対象物を電池外装体内の電極に対して電気的に接続するための端子構造体とを備え、前記端子構造体は、電極に電気的に接続されて電池外装体の内部に配置された集電体と、外部端子が取り付けられて電池外装体の外部に配置された接続杆と、接続杆と電池外装体との間に介装された絶縁パッキンとを備え、接続杆における外部端子の取付位置と異なる位置が電池外装体に挿通したリベットを介して電池外装体に固定されるとともに集電体に電気的に接続された電池において、電池外装体の絶縁パッキンが載置される外面上には、凹部が形成され、前記外部端子は、接続杆に対して電池外装体の外面と対向する面側から挿通されたボルトの雄ネジ部で構成され、前記絶縁パッキンには、前記ボルトの頭を収容するボルト収容凹部が形成され、前記絶縁パッキンの前記電池外装体の外面と対向する対向面上には、該ボルト収容凹部の反対側が膨出して形成される凸部であって、前記凹部に嵌合する凸部が形成され、前記外部端子の頭部の少なくとも一部は、絶縁パッキンを介して電池外装体の凹部内に配置されることを特徴とする電池。
【発明の詳細な説明】
【技術分野】
【０００１】
本発明は、ケーブル等の接続対象物を電池外装体内の電極に対して電気的に接続するための端子構造体を備えた電池に関し、より詳しくは、電極を収容した電池外装体の内外に、電極に接続された集電体と外部端子の取り付けられた接続杆とが配置され、接続杆及び集電体が電池外装体に挿通したリベットを介して連結された端子構造体を備えた電池に関する。
【背景技術】
【０００２】
一般的に、大型の電池は、図７（ａ）に示す如く、電極（図示しない）を収容した電池外装体２’と、ケーブル等の接続対象物を電池外装体２’内の電極に対して電気的に接続するための端子構造体３’とを備えている。そして、前記端子構造体３’には、種々タイプのものがあり、その一つとして、電極に対して電気的に接続され、電池外装体２’の内部に配置された集電体３０’と、ケーブル等の接続対象物が接続される外部端子３１ａ’が取り付けられ、電池外装体２’の外部に配置された接続杆３２’とを備え、電池外装体２’の内外にある接続杆３２’及び集電体３０’が電気的に接続されたものがある（例えば、特許文献１参照）。
【０００３】
かかる端子構造体３’は、集電体３０’の一部（連結部３０１’）と接続杆３２’とが電池外装体２’を介して対向するように配置されており、接続杆３２’、電池外装体２’、集電体３０’（連結部３０１’）に挿通された軸状のリベット３３’がかしめられることで、接続杆３２’が電池外装体２’に固定されるとともに集電体３０’に対して電気的に接続されている。そして、この種の電池１’は、電池外装体２’と端子構造体３’との間の電気絶縁を図るべく、接続杆３２’と電池外装体２’との間、及び集電体３０’と電池外装体２’との間、リベット３３’と電池外装体２’との間に絶縁パッキン３４’，３５’，３６’が介装されている。
【０００４】
上記構成の電池１’（端子構造体３’）は、接続杆３２’に対するリベット３３’の挿通位置（電池外装体２’に対する固定位置）と外部端子３１ａ’の取付位置とが異なっている。これにより、上記構成の電池１’は、接続対象物を接続する外部端子３１ａ’の配置が集電体３０’の配置に拘束されないため、外部端子３１ａ’が電池外装体２’の形態やサイズに見合った適正な位置に配置されており、外部端子３１ａ’に対してケーブル等の接続対象物を接続し易いものとなっている。
【０００５】
ところで、この種の電池１’は、接続杆３２’に対するリベット３３’の挿通位置（電池外装体２’に対する固定位置）と外部端子３１ａ’の取付位置とが異なっているため、接続対象物を外部端子３１ａ’に接続するときに作用する外力が接続杆３２’に対してリベット３３’回りの回転力（回転トルク）として作用することがある。特に、外部端子３１ａ’をネジ部材（ボルト）で構成し、該ネジ部材に螺合させたナットと接続杆３２’とで接続対象物を挟み込むようにした場合、ナットに対する締め付け力が接続杆３２’に対するリベット３３’回りの大きな回転力として作用することがある。
【０００６】
そのため、この種の電池１’は、接続杆３２’と電池外装体２’との間に介装された絶縁パッキン３４’が接続杆３２’に引き摺られてリベット３３’回りで回転する虞があり、該絶縁パッキン３４’が回転してしまうと接続杆３２’と電池外装体２’との間の電気絶縁を確実に図ることができない状態になるとして、例えば、接続杆３２’上に配置した押さえ板で接続杆３２’及び絶縁パッキン３４’を押さえ込んで該絶縁パッキン３４’の回転を防止したものや、電池外装体２’の外面に対して絶縁パッキン３４’を接着剤で接着して絶縁パッキン３４’の回転を防止したものが提供されている。
【０００７】
しかしながら、押さえ板で接続杆３２’及び絶縁パッキン３４’を押さえ込むようにしたものは、押さえ板、接続杆３２’、絶縁パッキン３４’、及び電池外装体２’の間に生じる摩擦に勝る外力が作用したときに絶縁パッキン３４’が回転し、電池外装体２’の外面に対して絶縁パッキン３４’を接着剤で接着したものは、接着剤の接着力に勝る外力が作用したときに絶縁パッキン３４’が回転してしまう。
【０００８】
そのため、現状において、この種の電池１’（端子構造体３’）は、図７（ｂ）及び図７（ｃ）に示す如く、金属製の小径ボールＢ’が電池外装体２’に溶着されており、絶縁パッキン３４の浮き上がりと回転の防止が図られている。具体的には、該端子構造体３’は、絶縁パッキン３４’の端部（四隅）に対し、電池外装体２’側に向けて縮径したテーパー状の貫通穴Ｈ’が穿設されており、該貫通穴Ｈ’内に配置した小径ボールＢ’の一部（貫通穴Ｈ’の小径な開口から露出する小径ボールＢ’の一部）が電池外装体２’に対して溶接されている。これにより、上記構成の電池１’（端子構造体３’）は、小径ボールＢ’が絶縁パッキン３４’（テーパー状の貫通穴Ｈ’の内周面）を押さえ込んだ状態になっており、絶縁パッキン３４’に対してリベット３３’回りの回転力が作用しても該絶縁パッキン３４’が適正な位置で維持するようになっている。
【先行技術文献】
【特許文献】
【０００９】
【特許文献１】特開２００３−９２１０３号公報
【発明の概要】
【発明が解決しようとする課題】
【００１０】
しかしながら、上記構成の電池１’は、製造過程において小径ボールＢ’を電池外装体２’に溶接するといった煩雑な作業を経て絶縁パッキン３４’に対する回り止めが施されているが、電池外装体２’に対する小径ボールＢ’の溶接が確実に行われずに絶縁パッキン３４’が回転してしまう可能性がある。
【００１１】
すなわち、上記構成に電池１’は、絶縁パッキン３４’の貫通穴Ｈ’内に配置した小径ボールＢ’を電池外装体２’に溶着することで絶縁パッキン３４’の回り止めが施されているが、製造過程において、小径ボールＢ’を絶縁パッキン３４’の貫通穴Ｈ’の大径側から収容するため、小径ボールＢ’によって貫通穴Ｈ’の小径開口が覆われてしまう結果、貫通穴Ｈ’の小径側の状態（電池外装体２’と小径ボールＢ’との接触状態や溶着状態）を確認することができない。
【００１２】
そのため、小径ボールＢ’が電池外装体２’に対して十分に溶着していないことがあり、小径ボールＢ’が電池外装体２’から脱落して絶縁パッキン３４’が回転してしまう虞がある。
【００１３】
そこで、本発明は、斯かる実情に鑑み、外部端子に対して大きな外力が作用しても絶縁パッキンがリベットを中心にして回転しまうことを確実に防止することのできる電池を提供することを課題とする。
【課題を解決するための手段】
【００１４】
本発明に係る電池は、電極を収容した電池外装体と、接続対象物を電池外装体内の電極に対して電気的に接続するための端子構造体とを備え、前記端子構造体は、電極に電気的に接続されて電池外装体の内部に配置された集電体と、外部端子が取り付けられて電池外装体の外部に配置された接続杆と、接続杆と電池外装体との間に介装された絶縁パッキンとを備え、接続杆における外部端子の取付位置と異なる位置が電池外装体に挿通したリベットを介して電池外装体に固定されるとともに集電体に電気的に接続された電池において、前記接続杆は、平板状であり、リベットから外部端子に亘って真直ぐに延びるように形成され、前記外部端子は、ボルトの雄ネジ部で構成されるとともに、接続杆に対して電池外装体の外面と対向する面側から挿通され、前記絶縁パッキンは、リベットが挿通されるとともに、外部端子が配置されるように形成され、且つ前記ボルトの頭を収容するボルト収容凹部が形成されるとともに該ボルト収容凹部の反対側が膨出して前記電池外装体の外面と対向する対向面上に凸部が形成され、電池外装体の外面上には、前記絶縁パッキンの凸部が嵌合する凹部が形成され、前記対向面と直交する方向から見た前記凹部及び前記凸部の外形が多角形状に形成され、凹部の内周面上にある平面部と凸部の外周面上にある平面部とは、接触又は略接触するように嵌合されるとともに、部分的にリベットとボルトとの間に配置されることを特徴とする。
【００１５】
上記構成の電池によれば、接続杆における外部端子の取付位置と異なる位置がリベットを介して電池外装体に固定されているため、外部端子が電池外装体の形態やサイズに見合った適正な位置に配置されることになり、該外部端子に対するバスバーやケーブル等の接続対象物の接続を容易に行うことができる。
【００１６】
そして、上記構成の電池は、外部端子に接続対象物を接続するときに作用する外力が接続杆を介して絶縁パッキンに対してリベット回りの回転力として作用するが、上述の如く、電池外装体の外面上又は絶縁パッキンの前記電池外装体の外面と対向する対向面上の何れか一方には、凹部が形成され、電池外装体の外面上又は絶縁パッキンの前記電池外装体の外面と対向する対向面上の何れか他方には、前記凹部に嵌合した凸部が形成されているため、絶縁パッキンに対してリベット回りの回転力が作用したときに、凹部の内周面と凸部の外周面とが接触し、絶縁パッキンの回転が阻止されることになる。
さらに、上記構成の電池は、前記対向面と直交する方向から見た前記凹部及び前記凸部の外形が多角形状に形成され、凹部の内周面上にある平面部と凸部の外周面上にある平面部とが接触又は略接触するように前記凹部に凸部が嵌合されている。そのため、上記構成の電池は、外部端子に対して接続対象物を接続するときや、外部端子に対して接続対象物を接続した状態で、絶縁パッキンに対して何らかの外力の作用で外部端子を中心とする回転力が作用すると、該回転力が凹部の内周面上にある平面部との凸部の外周面上にある平面部との間で伝達されることになり、電池外装体に設けられた凹部又は凸部の平面部が回転力に対して対抗することになる。これにより、絶縁パッキンに作用する回転力がリベット側に伝わることを抑制することができ、例えば、リベットの挿通された部分近傍で絶縁パッキンが破損することを防止することができる。
また、前記外部端子が接続杆に対して電池外装体の外面と対向する面側から挿通され、前記絶縁パッキンが前記ボルトの頭を収容するボルト収容凹部が形成されるとともに該ボルト収容凹部の反対側が膨出して前記電池外装体の外面と対向する対向面上に凸部が形成され、前記電池外装体の外面に前記凸部が嵌合する凹部が形成されている。そのため、凹部に対する凸部の嵌合により、外部端子に対してバスバーやケーブル等の接続対象物を接続する際に絶縁パッキンがリベット回りで回転するのを防止することができる。
さらに、外部端子をボルトの雄ネジ部で構成すると、該ボルトの頭が絶縁パッキンと接続杆との間に介在し、絶縁パッキンと接続杆との間隔が広くなる結果、ケーブル等を外部端子に接続するときの力の作用でリベットに対して曲げ作用（モーメント）が生じ、該リベット或いは該リベットと接続杆との連結部分等を破損させる可能性が高くなるが、上記構成の電池は、ボルトの頭がボルト収容凹部に収容され、該ボルト収容凹部の反対側で膨出した凸部が電池外装体の凹部に嵌合された状態になっているため、接続杆と絶縁パッキンとの間隔を最小限の間隔にすることができ、ケーブル等を外部端子に接続するときの力の作用で生じるリベットに対する曲げ作用を小さくすることができる。従って、絶縁パッキンの回転を防止できる上に、リベット及びその近傍での破損を防止することができる。
【００１７】
本発明の一態様として、前記絶縁パッキンは、リベットによる電池外装体に対する固定位置から離れた位置に、リベットの軸線と交差する方向で接続杆が接触可能な回転規制部を備えていることが好ましい。このようにすれば、外部端子に接続した接続対象物と接続杆との電気的な接続を良好な状態で維持させることができる。
【００１８】
具体的に説明すると、この種の電池は、通常、電池同士を電気的に接続するバスバーや外部に電力を供給するケーブルの端部に取り付けられた接続端子等の接続対象物を外部端子に接続した状態で、接続対象物が接続杆と面接触した状態になって必要な導通面積（接続杆と接続対象物との接触面積）が確保されるようになっているが、外力の作用で接続杆がリベットを中心にして回転すると、接続対象物も接続杆の回転に追従するように外部端子を中心にして回転し、接続杆と接続対象物との相対的な位置変更で互いに接触する接触面積が減少して導通状態が悪くなることがある。これに対し、上記構成の電池は、上述の如く、凹凸嵌合によってリベット回りでの回転が阻止された絶縁パッキンが回転規制部を備えているため、接続杆がリベットを中心に回転しようとすると、該接続杆が回転規制部に接触して該接続杆の回転が規制される。これにより、上記構成の電池は、接続杆におけるリベット回りの回転を規制して接続杆と接続対象物との接触状態を適正な状態で維持させることができ、接続杆と接続対象物との電気的な接続を良好な状態で維持させることができる。
【００１９】
この接続杆と接続対象物との接触面積は、電池を組電池に適用する場合に重要となる。そして、複数の単電池で組電池を構築すべく、隣り合う単電池の外部端子同士をバスバー（接続対象物）で接続する場合であって、接続杆及びバスバーが電池外装体の外面（例えば、電極を収容すべく一面を開放させたケースの開放部分を閉塞する蓋体の外面）と直交する方向から見て（平面視で）長方形に形成され、接続杆の外郭を構成する直角又は略直角をなした連続する二辺（以下、単に二辺という）とバスバーの外郭を構成する直角又は略直角をなした連続する二辺（以下、単に二辺という）とが重なる態様にする場合に、本発明の一態様における効果が顕著となる。
【００２０】
具体的には、接続杆の二辺とバスバーの二辺とが重なる態様にすると、接続杆又はバスバーの何れか一方のサイズを他方に比して大きく設定した場合に比べて接続杆やバスバーに使用する材料を少なくすることができる。そして、上述の如く、接続杆の二辺とバスバーの二辺とが重なる態様となるように接続杆及びバスバーのサイズが設定された場合、接続杆とバスバーとの相対的な位置ズレが生じる（接続杆の二辺とバスバーの二辺とが重ならない状態になる）と、接続杆とバスバーとの接触面積が小さくなって接触抵抗が増大することになり、接続杆又はバスバーの何れか一方のサイズを他方に比して大きく設定した場合に比べて接触抵抗の増大による出力低下が著しく、設計した性能を得られないことがあるが、上述の如く、リベットによる電池外装体に対する固定位置から離れた位置に、前記絶縁パッキンがリベットの軸線と交差する方向で接続杆と接触可能な回転規制部を備えることで、接続杆の回転を規制して接続杆の二辺とバスバーの二辺とが重なった状態で接続杆及びバスバーを維持させることができる。
【００２１】
従って、高レベルでの軽量化及び低抵抗化が要求されるＥＶ（電気自動車）やＨＥＶ（ハイブリッド電気自動車）の電源とされる組電池に有用なものとなる。なお、「接続杆の二辺とバスバーの二辺とが重なる態様」とは、接続杆の二辺とバスバーの二辺とが完全に一致した態様だけでなく、接続杆やバスバー等の各部品の製造時の誤差や組み立てで生じる誤差によって接続杆の二辺とバスバーの二辺とが僅かにずれている状態を含むものであり、例えば、バスバーの長辺が５０ｍｍ以上８０ｍｍ以下で短辺が１０ｍｍ以上３０ｍｍ以下のときは、±０．２ｍｍ程度の誤差（ズレ）が許容される。
【００２４】
そして、本発明の別の態様として、前記電池外装体は、前記凹部が一体的に成形されていることが好ましい。このようにすれば、製作時の部品点数を削減できる上に、別体のものを電池外装体に取り付けて凹部を形成した場合に比して強度的に優れたものになる。
【００２５】
さらに、本発明に係る別の電池は、電極を収容した電池外装体と、接続対象物を電池外装体内の電極に対して電気的に接続するための端子構造体とを備え、前記端子構造体は、電極に電気的に接続されて電池外装体の内部に配置された集電体と、外部端子が取り付けられて電池外装体の外部に配置された接続杆と、接続杆と電池外装体との間に介装された絶縁パッキンとを備え、接続杆における外部端子の取付位置と異なる位置が電池外装体に挿通したリベットを介して電池外装体に固定されるとともに集電体に電気的に接続された電池において、電池外装体の絶縁パッキンが載置される外面上には、凹部が形成され、絶縁パッキンの前記電池外装体の外面と対向する対向面上には、前記凹部に嵌合する凸部が形成され、前記外部端子は、接続杆に対して電池外装体の外面と対向する面側から挿通されたボルトの雄ネジ部で構成され、前記絶縁パッキンには、前記ボルトの頭を収容するボルト収容凹部が形成され、前記絶縁パッキンの前記電池外装体の外面と対向する対向面上には、該ボルト収容凹部の反対側が膨出して形成される凸部であって、前記凹部に嵌合する凸部が形成され、前記外部端子の頭部の少なくとも一部は、絶縁パッキンを介して電池外装体の凹部内に配置されることを特徴とする。
上記構成の電池によれば、外部端子が接続杆に挿通されたボルトの雄ネジ部で構成され、絶縁パッキンのボルト収容凹部にボルトの頭部が収容されているため、絶縁パッキンの回転を防止できる上に、リベット及びその近傍での破損について防止することができる。
すなわち、通常の場合、外部端子をボルトの雄ネジ部で構成すると、該ボルトの頭部が外側絶縁パッキンと接続杆との間に介在し、外側絶縁パッキンと接続杆との間隔が広くなる結果、バスバーを外部端子に接続するときの外力の作用でリベットに対して曲げ作用（モーメント）が生じ、該リベット又は該リベットと接続杆との連結部分、或いは、リベットと集電体との連結部分を破損させる可能性が高くなる。
しかしながら、上記構成の電池は、ボルトの頭部がボルト収容凹部に収容され、該ボルト収容凹部の反対側で膨出した凸部が蓋体の凹部に嵌合されているため、接続杆と絶縁パッキンとの間隔を最小限の間隔にすることができ、バスバーを外部端子に接続するときの外力の作用で生じるリベットに対する曲げ作用を小さくすることができる。従って、上記構成の電池は、絶縁パッキンの回転を防止できる上に、リベット及びその近傍での破損について防止することができる。
また、上記構成の電池は、ボルトの頭部の一部が電池外装体の凹部内に配置されるため、高さ方向におけるサイズを小さくすることができ、スペース効率を高めることができる。
【発明の効果】
【００２６】
以上のように、本発明に係る電池によれば、外部端子に対して大きな外力が作用しても絶縁パッキンがリベットを中心にして回転しまうことを確実に防止することができるという優れた効果を奏し得る。
【図面の簡単な説明】
【００２７】
【図１】本発明の一実施形態に係る電池の全体斜視図を示す。
【図２】同実施形態に係る電池の部分平面図であって、端子構造体を含む部分平面部を示す。
【図３】同実施形態に係る電池の部分縦断面図であって、（ａ）は、図２のＩ−Ｉ断面図を示し、（ｂ）は、図２のＩＩ−ＩＩ断面図を示す。
【図４】同実施形態に係る電池を複数並設し、それぞれを電気的に接続した状態の斜視図を示す。
【図５】本発明の他実施形態に係る電池の端子構造体を含む部分縦断面図であって、（ａ）は、絶縁パッキンに凸部が形成されるとともに、蓋体に膨出部が形成され、該膨出部に凸部を嵌合させる凹部が形成された電池の部分縦断面図を示し、（ｂ）は、蓋体の一部を外面側に膨出させて凸部が形成され、絶縁パッキンに凸部を嵌合させる凹部が形成された電池の部分縦断面図を示す。
【図６】本発明の別の実施形態に係る電池の端子構造体を含む部分縦断面図であって、（ａ）は、蓋体に突起状の凸部が形成され、絶縁パッキンに凸部を嵌合させる凹部が形成された電池の部分縦断面図を示し、（ｂ）は、絶縁パッキンに突起状の凸部が形成され、蓋体に凸部を嵌合させる凹部が形成された電池の部分縦断面図を示す。
【図７】従来の電池を説明するための説明図であって、（ａ）従来の電池の端子構造体を含む部分縦断面図を示し、（ｂ）は、従来の電池の端子構造体を含む部分平面図を示し、（ｃ）は、（ｂ）のＩＩＩ−ＩＩＩ断面図を示す。
【発明を実施するための形態】
【００２８】
以下、本発明の一実施形態に係る電池について、添付図面を参照しつつ説明する。
【００２９】
かかる電池は、充放電可能な二次電池であり、本実施形態においてはリチウムイオン二次電池を対象としている。本実施形態に係る電池は、図１及び図２に示す如く、電極（図示しない）を収容した電池外装体２と、バスバーやケーブル等の接続対象物を電池外装体２内の電極に対して電気的に接続するための端子構造体３ａ，３ｂとを備えている。
【００３０】
前記電池外装体２は、電極を収容すべく、一面を開放させた箱状のケース２０と、該ケース２０の開放部分を閉塞する蓋体２１とを備えている。前記ケース２０は、金属材料（例えば、アルミ合金やステンレス合金）で形成される。
【００３１】
そして、蓋体２１は、平面視方形状をなす板状に形成されている。該蓋体２１は、図３（ａ）に示す如く、所定位置に貫通した穴（以下、貫通穴という）２１０が穿設されている。本実施形態に係る蓋体２１は、平面視長方形状に形成されており、長手方向の一端側及び他端側のそれぞれに貫通穴２１０が一つずつ形成されている。各貫通穴２１０は、後述するリベット３３の外径よりも大きな穴径に設定されており、該貫通穴２１０の内周とリベット３３の外周との間に後述する環状絶縁パッキン３６を介装できるようになっている。
【００３２】
また、蓋体２１は、外面に凹部２１１が形成されている。該凹部２１１は、後述する外側絶縁パッキン（絶縁パッキン）３４の凸部３４３を嵌合させるもので、蓋体２１の長手方向の一端側及び他端側のそれぞれに形成されている。該凹部２１１は、貫通穴２１０に対してずれた位置（異なる位置）に形成されている。すなわち、蓋体２１の長手方向の一端側にある凹部２１１は、蓋体２１の長手方向の一端側に形成された貫通穴２１０に対してずれた位置に形成され、蓋体２１の長手方向の他端側にある凹部２１１は、蓋体２１の長手方向の他端側に形成された貫通穴２１０に対してずれた位置に形成されている。各凹部２１１は、基準となる貫通穴２１０に対して蓋体２１の長手方向でずれた位置に形成されており、本実施形態においては、基準となる貫通穴２１０よりも外側（長手方向の端縁側）に配置されている。
【００３３】
かかる凹部２１１は、蓋体２１の外面に対して直交する方向から見て外形が多角形状に形成されている。本実施形態に係る凹部２１１は、蓋体２１の外面に対して直交する方向から見て外形が六角形状に形成されており、内周面が連続する六つの平面部で構成されている。
【００３４】
本実施形態に係る電池１は、金属板をプレス成形することで蓋体２１と凹部２１１とが一体成形されている。そして、プレス成形のし易さを考慮し、本実施形態に係る蓋体２１は、アルミ合金で構成されており、ケース２０においては、蓋体２１の溶着（溶接）の観点から蓋体２１と同種の金属で構成されている。このように、本実施形態において、蓋体２１をプレス成形することで凹部２１１が形成されているため、蓋体２１の内面側は凹部２１１に対応した位置が該凹部２１１の形状に対応して膨出している。
【００３５】
図１に戻り、前記端子構造体３ａ，３ｂは、正極用及び負極用があり、正極用の端子構造体３ａは、蓋体２１の長手方向の一端側に固定され、負極用の端子構造体３ｂは、蓋体２１の長手方向の他端側に固定されている。
【００３６】
該正極用及び負極用の端子構造体３ａ，３ｂは、接続される電極の極性と電池外装体２に対する配置とが異なるだけで、同一構成になっている。各端子構造体３ａ，３ｂは、図３（ａ）に示す如く、電極（正極用は正極の電極、負極用は負極の電極）に電気的に接続されて電池外装体２の内部に配置された集電体３０と、外部端子３１ａが取り付けられて電池外装体２の外部に配置された接続杆３２と、接続杆３２と電池外装体２との間に介装された絶縁パッキン３４とを備えている。
【００３７】
より具体的に説明すると、本実施形態に係る端子構造体３ａ，３ｂは、ケース２０内の電極に電気的に接続されるとともに、蓋体２１の内面側に配置された集電体３０と、外部端子３１ａが取り付けられ、蓋体２１の外側に配置された接続杆３２と、集電体３０と接続杆３２とを電気的に接続しつつ前記蓋体２１に固定するリベット３３と、接続杆３２と蓋体２１との間に介装される絶縁パッキン（以下、外側絶縁パッキンという）３４と、集電体３０と蓋体２１との間に介装される絶縁パッキン（以下、内側絶縁パッキンという）３５と、リベット３３と蓋体２１との間に介装される絶縁パッキン（以下、環状絶縁パッキンという）３６とを備えている。
【００３８】
前記集電体３０は、ケース２０の内壁面に沿って配置され、ケース２０内の電極に対して電気的に接続される電極接続部３００と、該電極接続部３００の上端部に電気的に接続され、蓋体２１の内面に沿うように（平行又は略平行をなすように）配置された連結部３０１とを備えている。該集電体３０は、導電性を有する金属材料で構成されており、本実施形態においては、電極接続部３００及び連結部３０１が一体的に形成されている。本実施形態に係る連結部３０１は、帯板状に形成されており、長手方向の一端が電極接続部３００に接続され、長手方向の他端部にリベット３３を挿通させるための穴（以下、集電体リベット挿通穴という）３０２が貫設されている。該集電体リベット挿通穴３０２は、蓋体２１の貫通穴２１０の配置に対応して形成されているが、該貫通穴２１０とは異なり、リベット３３の外径と略同等の穴径（リベット３３を挿通し得る最小限の穴径）に設定されている。
【００３９】
前記接続杆３２は、平面視方形状の金属プレートで構成されている。本実施形態に係る接続杆３２は、平面視長方形状をなしており、長手方向の一端部にリベット３３を挿通させるための穴（以下、接続杆リベット挿通穴という）３２０が貫設されている。そして、該接続杆３２は、長手方向の他端側に外部端子３１ａが取り付けられている。本実施形態に係る電池１は、軸状の雄ネジ部３１ａと、雄ネジ部３１ａの一端に連設されて該雄ネジ部３１ａよりも大径に設定された頭部３１ｂとを有するボルト３１を備えており、該ボルト３１の雄ネジ部３１ａで外部端子が構成されている。
【００４０】
そのため、本実施形態に係る接続杆３２は、リベット３３の挿通位置（電池外装体２との連結位置）と異なる位置に外部端子３１ａを取り付けるべく、接続杆リベット挿通穴３２０の他、長手方向の他端部に別の穴（以下、ボルト挿通穴という）３２１が貫設されている。そして、該接続杆３２は、ボルト３１の雄ネジ部３１ａが蓋体２１側からボルト挿通穴３２１に挿通されている。これにより、本実施形態に係る電池１は、ボルト３１の雄ネジ部３１ａが接続杆３２から外方に突出した外部端子として機能するようになっている。本実施形態に係るボルト３１には、六角ボルトが作用されており、前記頭部３１ｂが軸線方向から見て外形が六角形状をなしている。
【００４１】
前記外側絶縁パッキン３４、環状絶縁パッキン３６、及び内側絶縁パッキン３５は、何れも電気絶縁性を有する樹脂で構成されている。そして、本実施形態に係る電池１（端子構造体３）は、外側絶縁パッキン３４及び環状絶縁パッキン３６が一体的に成型され、内側絶縁パッキン３５が独立して成型されている。
【００４２】
前記外側絶縁パッキン３４は、リベット３３による電池外装体２に対する固定位置から離れた位置に、接続杆３２がリベット３３の軸線と交差する方向で接触可能な回転規制部（以下、この回転規制部を外側回転規制部という）３４０を備えている。具体的には、本実施形態に係る外側絶縁パッキン３４は、蓋体２１と接続杆３２との間に配置される外側介装部３４１と、該外側介装部３４１の外周縁部に沿って突出した外側回転規制部３４０とで構成されている。前記外側介装部３４１は、接続杆３２の平面形状及びサイズに対応して形成されている。そして、本実施形態に係る電池１は、接続杆３２が平面視方形状（長方形状）に形成されているため、外側介装部３４１も平面視方形状（長方形状）に形成されている。そのため、外側回転規制部３４０は、接続杆３２（外側介装部３４１）の外周形状に即して方形状の枠を形成している。
【００４３】
そして、外側絶縁パッキン３４（外側介装部３４１）は、接続杆リベット挿通穴３２０と対応した位置に、リベット３３を挿通させるための穴（以下、第一リベット挿通穴という）３４２が貫設されている。また、該外側絶縁パッキン３４は、蓋体２１の外面と対向する面に、蓋体２１の凹部２１１に嵌合する凸部３４３が形成されている。
【００４４】
本実施形態に係る端子構造体３ａ，３ｂは、接続杆３２のボルト挿通穴３２１に挿通させたボルト３１の雄ネジ部３１ａで外部端子３１ａを構成しているため、ボルト３１の頭部３１ｂが接続杆３２の蓋体２１側に存在する。そのため、前記外側絶縁パッキン３４（外側介装部３４１）は、接続杆３２と対向する面上にボルト３１の頭部３１ｂを収容するための窪み（以下、ボルト収容凹部という）３４４が形成されている。該ボルト収容凹部３４４は、ボルト挿通穴３２１と同心になるように形成されている。
【００４５】
かかるボルト収容凹部３４４は、蓋体２１の外面と対向する対向面と直交する方向（頭部３１ｂの収容されたボルト３１の軸線方向）から見て外形が多角形状に形成されている。本実施形態に係るボルト収容凹部３４４は、ボルト３１の頭部３１ｂの外形に対応するように、蓋体２１の外面と対向する対向面と直交する方向から見て外形が六角形状に形成されている。これにより、ボルト収容凹部３４４は、内周面が連続する六つの平面部で構成されている。そして、本実施形態に係るボルト収容凹部３４４は、内周面を構成する各平面部に対してボルト３１の頭部３１ｂの外周面を構成する各平面部が接触又は略接触した状態で該頭部３１ｂを収容できるように形成されている。これにより、該ボルト収容凹部３４４は、ボルト３１が軸線周りで回転することを規制できるようになっている。
【００４６】
本実施形態に係る外側絶縁パッキン３４（外側介装部３４１）は、上述の如く、蓋体２１の外面に凸部３４３が形成されている。すなわち、本実施形態に係る外側絶縁パッキン３４は、ボルト収容凹部３４４の形成された面の反対側の面に対して前記凹部２１１に嵌合する凸部３４３が形成されている。かかる凸部３４３は、該外側絶縁パッキン３４の蓋体２１と対向する面（平面）と直交する方向から見て外形が多角形状に形成される。本実施形態に係る凸部３４３は、凹部２１１の形状に対応するように、蓋体２１と対向する面（平面）と直交する方向から見て外形が六角形状に形成されている。これにより、凸部３４３は、外周面が連続する六つの平面部で構成されている。
【００４７】
そして、該凸部３４３は、外周面を構成する各平面部が凹部２１１の内周面を構成する各平面部に接触又は略接触した状態で該凹部２１１に嵌合するようになっている。本実施形態に係る外側絶縁パッキン３４（外側介装部３４１）は、ボルト収容凹部３４４の裏側が膨出しており、該膨出した部分が蓋体２１の凹部２１１に嵌合する凸部３４３として機能するようになっている。なお、外側絶縁パッキン３４は、図３（ｂ）に示す如く、第一リベット挿通穴３４２及びボルト収容凹部３４４が形成されている領域以外は、両面が蓋体２１と接続杆３２とに密接した状態になっている。
【００４８】
前記環状絶縁パッキン３６は、図３（ａ）に示す如く、円環状（筒状）をなしており、リベット３３を挿通させるための穴（以下、第二リベット挿通穴という）３６０が貫設されている。そして、環状絶縁パッキン３６は、第二リベット挿通穴３６０の穴径（内径）がリベット３３の外径と略同一に設定され、外径が蓋体２１の貫通穴２１０の穴径（内径）と略同一に設定されている。該環状絶縁パッキン３６は、第二リベット挿通穴３６０が第一リベット挿通穴３４２と同心をなすように配置され、軸線方向の一端が外側絶縁パッキン３４に接続されている。
【００４９】
前記内側絶縁パッキン３５は、外周縁部に集電体３０の連結部３０１の外周を取り囲む内側回転規制部３５０が形成されている。すなわち、内側絶縁パッキン３５は、蓋体２１と集電体３０の連結部３０１との間に配置される内側介装部３５１と、該内側介装部３５１の外周縁部に沿って突出した内側回転規制部３５０とで構成されている。前記内側介装部３５１は、集電体３０の連結部３０１の平面形状及びサイズに対応して形成されている。本実施形態に係る電池１は、集電体３０の連結部３０１が平面視方形状（長方形状）に形成されているため、内側介装部３５１も平面視方形状（長方形状）に形成されている。そのため、内側回転規制部３５０は、内側介装部３５１の外周形状に即して方形状の枠を形成している。
【００５０】
そして、内側絶縁パッキン３５（内側介装部３５１）には、集電体３０の連結部３０１の集電体リベット挿通穴３０２に対応した位置に、リベット３３を挿通させるための穴（以下、第三リベット挿通穴という）３５２が貫設されている。
【００５１】
本実施形態に係る電池１は、蓋体２１の外面に凹部２１１を形成するに当り、蓋体２１の内面の一部が膨出しているため、内側絶縁パッキン３５（内側介装部３５１）は、蓋体２１と対向する面側において、蓋体２１の内面形状に沿った形状に形成されている。なお、内側絶縁パッキン３５は、図３（ｂ）に示す如く、第三リベット挿通穴３５２が形成されている領域以外は、両面が蓋体２１と集電体３０（連結部３０１）とに密接した状態になっている。
【００５２】
そして、本実施形態に係る電池１は、図３（ａ）に示す如く、環状絶縁パッキン３６が蓋体２１の貫通穴２１０に嵌入された状態で蓋体２１の外面上に外側絶縁パッキン３４が重ねられた上で該外側絶縁パッキン３４に接続杆３２が重ねられる一方、蓋体２１の内面上に内側絶縁パッキン３５が重ねられた上で該内側絶縁パッキン３５に集電体３０（連結部３０１）が重ねられている。
【００５３】
これにより、外側から内側に向けて接続杆リベット挿通穴３２０、第一リベット挿通穴３４２、第二リベット挿通穴３６０、第三リベット挿通穴３５２、集電体リベット挿通穴３０２が連なって連続した穴（以下、リベット挿通穴という）５が形成され、該リベット挿通穴５に軸状のリベット３３が挿通されている。かかるリベット３３は、リベット挿通穴５に挿通した状態で、一端部が接続杆３２から外方に向けて延出するとともに、他端部が集電体３０（連結部３０１）から電池外装体２の内部に向けて延出しており、両端部がかしめられている。
【００５４】
これにより、外側絶縁パッキン３４、環状絶縁パッキン３６、及び内側絶縁パッキン３５に対してリベット３３の軸線方向の圧縮力を作用させつつ、接続杆３２及び集電体３０（連結部３０１）が蓋体２１の所定位置に固定されている。このように、本実施形態に係る電池１は、接続杆３２を介して外部端子３１ａが集電体３０に対して電気的に接続されているため、集電体３０及び接続杆３２との接続位置（リベット３３による連結位置）に対し、接続杆３２に対する外部端子３１ａの取付位置（ボルト３１の挿通位置）が異なった位置（ずれた位置）になっており、外部端子３１ａが電池外装体２の形状、サイズに見合った適正な配置になっている。
【００５５】
本実施形態に係る電池１は、以上の構成からなり、例えば、図４に示す如く、複数並列に配置され、隣り合う電池１の端子構造体３ａ，３ｂ（外部端子３１ａ）同士が接続対象物としてのバスバーＢを介して直列に接続される。なお、図示しないが、電流の流れ方向の最上流及び最下流の電池１の外部端子３１ａの一方は、負荷に対して電気的に接続されたケーブル（接続対象物）が接続される。
【００５６】
このように、外部端子３１ａに対してバスバーＢを接続する際、外部端子３１ａに何らかの外力が作用し、該外力が接続杆３２及び外側絶縁パッキン３４に対するリベット３３回りの回転力として作用する。本実施形態に係る電池１は、外部端子３１ａをボルト３１の雄ネジ部３１ａで構成し、該雄ネジ部３１ａに螺合させたナットＮと接続杆３２との間にバスバーＢを配置した上でナットＮを締め付けることで、外部端子３１ａにバスバーＢを接続するようにしているため、ナットＮに対する締め付け力が接続杆３２を介して外側絶縁パッキン３４に対するリベット３３回りの大きな回転力として作用することになる。
【００５７】
しかしながら、本実施形態に係る電池１は、図３（ａ）に示す如く、蓋体２１の外面に形成された凹部２１１に外側絶縁パッキン３４の凸部３４３が嵌合しているため、外側絶縁パッキン３４に対してリベット３３回りの回転力が作用したときに、凹部２１１の内周面と凸部３４３の外周面とが接触し、該外側絶縁パッキン３４の回転が阻止されることになる。特に、本実施形態に係る電池１は、凹部２１１が蓋体２１に対して一体的に形成され、凸部３４３が外側絶縁パッキン３４に対して一体的に形成されているため、従来のように別部材が脱落するといった事態が発生せず、外側絶縁パッキン３４の回転が確実に阻止されることになる。
【００５８】
また、上述の如く、ナットＮを締め付ける際に、ナットＮに対する締め付け力が接続杆３２に対するリベット３３回りの大きな回転力として作用することになるが、本実施形態に係る電池１は、外側絶縁パッキン３４が接続杆３２を包囲する外側回転規制部３４０を備えているため、接続杆３２がリベット３３回りで回転しようとしたときに、外側回転規制部３４０が接続杆３２と干渉して該接続杆３２の回転が規制される。これにより、本実施形態に係る電池１は、接続杆３２を適正な位置で維持させることができ、これによって接続杆３２と電池１，１同士を電気的に接続するバスバーＢとの接触状態を適正な状態で維持させることができる。
【００５９】
具体的に説明すると、この種の電池１は、通常、電池１，１同士を電気的に接続するバスバーＢを外部端子３１ａに接続した状態で、バスバーＢが接続杆３２と面接触した状態になって必要な導通面積（接続杆３２とバスバーＢとの接触面積）が確保されるようになっているが、外力の作用で接続杆３２がリベット３３を中心にして回転すると、バスバーＢも接続杆３２の回転に追従するように外部端子３１ａを中心にして回転し、接続杆３２とバスバーＢとの相対的な位置変更で互いに接触する接触面積が減少して導通状態が悪くなることがある。これに対し、本実施形態に係る電池１は、上述の如く、凹部２１１に対する凸部３４３の嵌合によってリベット３３回りでの回転が阻止された外側絶縁パッキン３４が外側回転規制部３４０を備えているため、接続杆３２がリベット３３を中心に回転しようとすると、該接続杆３２が外側回転規制部３４０に接触して該接続杆３２の回転が規制される。これにより、上記構成の電池１は、接続杆３２におけるリベット３３回りの回転を規制して接続杆３２とバスバーＢとの接触状態を適正な状態で維持させることができ、接続杆３２とバスバーＢとの電気的な接続が良好な状態で維持されることになる。
【００６０】
また、上述の如く、ナットＮを締め付ける際、ボルト３１（外部端子３１ａ）を中心とする回転力が作用することがあるが、本実施形態に係る電池１は、前記凹部２１１及び凸部３４３が外側絶縁パッキン３４の蓋体２１と対向する対向面と直交する方向から見て多角形状に形成され、凹部２１１の内周面上にある平面部と凸部３４３の外周面上にある平面部とが接触又は略接触するように前記凹部２１１に凸部３４３が嵌合されているため、外側絶縁パッキン３４に対して外部端子３１ａを中心とする回転力が作用すると、該回転力が凹部２１１の内周面上にある平面部との凸部３４３の外周面上にある平面部との間で伝達され、蓋体２１に設けられた凹部２１１の平面部が回転力に対して対抗することになる。これにより、本実施形態に係る電池１は、外側絶縁パッキン３４に作用する回転力がリベット３３側に伝わることを抑制することができ、外側絶縁パッキン３４がリベット３３の挿通された部分近傍で破損することが防止される。
【００６１】
そして、本実施形態に係る電池１は、外部端子３１ａが接続杆３２に挿通されたボルト３１の雄ネジ部３１ａで構成され、外側絶縁パッキン３４のボルト収容凹部３４４に前記ボルト３１の頭部３１ｂが収容されているため、絶縁パッキン３４の回転を防止できる上に、リベット３３及びその近傍での破損について防止することができる。
【００６２】
すなわち、通常の場合、外部端子３１ａをボルト３１の雄ネジ部３１ａで構成すると、該ボルト３１の頭部３１ｂが外側絶縁パッキン３４と接続杆３２との間に介在し、外側絶縁パッキン３４と接続杆３２との間隔が広くなる結果、バスバーＢを外部端子３１ａに接続するときの外力の作用でリベット３３に対して曲げ作用（モーメント）が生じ、該リベット３３又は該リベット３３と接続杆３２との連結部３０１分、或いは、リベット３３と集電体３０との連結部３０１分を破損させる可能性が高くなる。
【００６３】
しかしながら、本実施形態に係る電池１は、ボルト３１の頭部３１ｂがボルト収容凹部３４４に収容され、該ボルト収容凹部３４４の反対側で膨出した凸部３４３が蓋体２１の凹部２１１に嵌合されているため、接続杆３２と絶縁パッキン３４との間隔を最小限の間隔にすることができ、バスバーを外部端子３１ａに接続するときの外力の作用で生じるリベット３３に対する曲げ作用を小さくすることができる。従って、本実施形態に係る電池１は、絶縁パッキン３４の回転を防止できる上に、リベット３３及びその近傍での破損について防止することができる。
【００６４】
以上のように、本実施形態に係る電池１は、電極を収容した電池外装体２と、電極に対して電気的に接続され、接続対象物を電池外装体２内の電極に対して電気的に接続するための端子構造体３ａ，３ｂとを備え、前記端子構造体３ａ，３ｂは、電極に電気的に接続されて電池外装体２の内部に配置された集電体３０と、外部端子３１ａが取り付けられて電池外装体２の外部に配置された接続杆３２と、接続杆３２と電池外装体２との間に介装された外側絶縁パッキン３４とを備え、接続杆３２における外部端子３１ａの取付位置と異なる位置が電池外装体２の所定位置に挿通したリベット３３を介して電池外装体２に固定されるとともに集電体３０に電気的に接続されているため、外部端子３１ａが電池外装体２の形態やサイズに見合った適正な位置に配置されることになり、該外部端子３１ａに対するバスバーＢの接続を容易に行うことができる。
【００６５】
また、本実施形態に係る電池１は、電池外装体２の外面上に凹部２１１が形成され、外側絶縁パッキン３４の電池外装体２の外面と対向する対向面上に、前記凹部２１１に嵌合する凸部３４３が形成されているため、外側絶縁パッキン３４に対してリベット３３回りの回転力が作用したときに、外側絶縁パッキン３４の回転を阻止することができる。これにより、外側絶縁パッキン３４に連設した環状絶縁パッキン３６や、該環状絶縁パッキン３６に圧接することになる内側絶縁パッキン３５がリベット３３回りで回転することも阻止することができる。
【００６６】
また、本実施形態に係る電池１は、外側絶縁パッキン３４がリベット３３による電池外装体２に対する固定位置から離れた位置に、リベット３３の軸線と交差する方向で接続杆３２が接触可能な外側回転規制部（回転規制部）３４０を備えているため、接続杆３２におけるリベット３３回りの回転を規制して接続杆３２とバスバーＢとの接触状態を適正な状態で維持させることができ、接続杆３２とバスバーＢとの電気的な接続を良好な状態で維持させることができる。
【００６７】
そして、本実施形態に係る電池１は、接続杆３２に対して電池外装体２（蓋体２１）の外面と対向する面側から挿通したボルト３１の雄ネジ部３１ａで外部端子３１ａを構成し、外側絶縁パッキン３４に形成したボルト収容凹部３４４にボルト３１の頭部３１ｂを収容するようにしているため、接続対象物を外部端子３１ａに接続するときの外力でリベット３３に生じる曲げ作用（モーメント）を小さくすることができ、リベット３３及びその近傍での破損を防止することができる。
【００６８】
そして、本実施形態に係る電池１は、前記凹部２１１及び凸部３４３の外形が多角形状（六角形状）に形成され、凹部２１１の内周面上にある平面部と凸部３４３の外周面上にある平面部とが接触又は略接触するように前記凹部２１１に凸部３４３が嵌合されているため、外側絶縁パッキン３４に作用する回転力がリベット３３側に伝わることを抑制することができ、リベット３３の挿通された部分近傍で外側絶縁パッキン３４が破損することを防止することができる。
【００６９】
また、本実施形態に係る電池１は、蓋体２１と凹部２１１とが一体的に成形されているため、製作時の部品点数を削減できる上に、別体のものを蓋体２１に取り付けて凹部２１１を形成した場合に比して強度的に優れたものになる。
【００７０】
なお、本発明は、上記実施形態に限定されるものでなく、本発明の要旨を逸脱しない範囲で適宜変更を加え得ることは勿論のことである。
【００７１】
例えば、上記実施形態において、電池１としてリチウムイオン二次電池を一例に説明したが、これに限定されるものではなく、その他の二次電池等の電池であっても勿論よい。また、上記実施形態において、外部端子３１ａに対して接続する接続対象物としてバスバーＢを一例に挙げたが、接続対象物は、これに限定されるものではなく、例えば、負荷に接続されるケーブルの端部に取り付けられた接続端子であっても勿論よい。
【００７２】
上記実施形態において、接続杆３２に挿通したボルト３１の雄ネジ部３１ａで外部端子３１ａを構成したが、これに限定されるものではなく、例えば、接続杆３２にネジ棒（雄ネジ部３１ａ材）を溶接し、該ネジ棒で外部端子３１ａを構成してもよい。この場合、連結杆の蓋体２１側にボルト３１の頭部３１ｂが存在しないため、外側絶縁パッキン３４にボルト収容凹部３４４を設ける必要はない。また、外部端子３１ａは、雄ネジ（ナットＮを螺合させるもの）に限定されるものではなく、例えば、接続対象物が接続用のクランプ手段等を備えている場合には、外部端子３１ａを軸状に形成してもよい。
【００７３】
また、上記実施形態において、ボルト３１の雄ネジ部３１ａで外部端子３１ａを構成し、外側絶縁パッキン３４にボルト収容凹部３４４を形成したが、これに限定されるものではなく、例えば、外側絶縁パッキン３４にボルト収容凹部３４４を形成せずに、ボルト３１の頭部３１ｂを接続杆３２と外側絶縁パッキン３４との間に介設するようにしてもよい。
【００７４】
この場合、リベット３３側においても接続杆３２と外側絶縁パッキン３４との間に間隙が形成されることになるため、接続杆３２と外側絶縁パッキン３４との間隔を維持させるべく、接続杆３２と外側絶縁パッキン３４との間に、スペーサー（リベット３３に外嵌可能なスペーサー）を介設したり、リベット３３の一部を大径に形成したりしてもよい。従って、リベット３３は、全長に亘って外径が一定のものに限定されるものではなく、段付き軸状のものであってもよい。
【００７５】
上記実施形態において、リベット挿通穴５に挿通した軸状のリベット３３の両端部をかしめることで、接続杆３２、蓋体２１（電池外装体２）、絶縁パッキン３４，３５，３６、及び集電体３０を一体的に連結（締結）したが、これに限定されるものではなく、例えば、リベット３３の一端を接続杆３２又は集電体３０に溶接等で連結し、該リベット３３の他端部のみをかしめ、接続杆３２、蓋体２１（電池外装体２）、絶縁パッキン３４、３５，３６、及び集電体３０を一体的に連結するようにしてもよい。この場合、リベット３３の連結される接続杆３２又は集電体３０（連結部３０１）にリベット３３を挿通させるための穴を設ける必要はないことは言うまでもない。
【００７６】
上記実施形態において、電池外装体２を構成する蓋体２１に対して端子構造体３ａ，３ｂを取り付けるようにしたが、これに限定されるものではなく、例えば、ケース２０に端子構造体３ａ，３ｂを取り付けるようにしてもよい。また、電池外装体２は、ケース２０と蓋体２１とで構成されたものではなく、例えば、二つ以上の部材（例えば、電池外装体２を二分割以上に分割した態様の部材）を連結し、これらを連結することで電極を密閉状態で収容できるものであってもよい。従って、端子構造体３ａ，３ｂは、電池外装体２の何れかの壁部（外壁）に取り付けられるものであればよい。
【００７７】
上記実施形態において、蓋体２１の真っ直ぐな外面上に凹部２１１を形成したが、これに限定されるものでなく、例えば、図５（ａ）に示す如く、蓋体２１の外面に膨出部２１５を形成し、該膨出部２１５の一部を内部側に窪ませて凹部２１１を形成してもよい。この場合においても、凹部２１１は凸部３４３が嵌入できるように形成されることは言うまでもない。
【００７８】
また、図５（ｂ）に示す如く、蓋体２１の一部を外側に膨出させて凸部３４３とし、外側絶縁パッキン３４の蓋体２１（電池外装体２）を向く面に凸部３４３が嵌合する凹部２１１を形成してもよい。すなわち、上記実施形態において、電池外装体２（蓋体２１）に凹部２１１を形成し、外側絶縁パッキン３４に凸部３４３を形成したが、これに限定されるものではなく、例えば、電池外装体２（蓋体２１）に凸部３４３を形成し、外側絶縁パッキン３４に凹部２１１を形成してもよい。なお、凹部２１１及び凸部３４３は、外側絶縁パッキン３４の回転中心となり得るリベット３３から離れた位置に形成されることは言うまでもない。
【００７９】
上記実施形態において、ボルト収容凹部３４４を形成することで外側絶縁パッキン３４に形成される膨出した部分を凸部３４３とし、蓋体２１をプレスして凹部２１１を形成（反対側が膨出するように凹部２１１を形成）したが、これに限定されるものではなく、例えば、図６（ａ）及び図６（ｂ）に示す如く、凸部３４３を突起状に形成し、凹部２１１を窪みで構成するようにしてもよい。この場合においても、電池外装体２の外面上又は外側絶縁パッキン３４の前記電池外装体２の外面と対向する対向面上の何れか一方に凹部２１１を形成し、電池外装体２の外面上又は外側絶縁パッキン３４の前記電池外装体２の外面と対向する対向面上の何れか他方に凸部３４３を形成すればよい。
【００８０】
上記実施形態において、接続杆３２に一つの凸部３４３を設け、これに対応する凹部２１１を一つ設けるようにしたが、これに限定されるものではなく、凸部３４３を二つ以上設け、凹部２１１を凸部３４３に対応させて設けるようにしてもよい。
【００８１】
上記実施形態において、環状絶縁パッキン３６を外側絶縁パッキン３４と一体的に形成するのに対し、内側絶縁パッキン３５を独立した構成として形成したが、これに限定されるものではなく、例えば、環状絶縁パッキン３６を内側絶縁パッキン３５と一体的に形成し、外側絶縁パッキン３４を独立した構成として形成してもよい。また、環状絶縁パッキン３６を軸線方向で二分割に形成し、その一方を外側絶縁パッキン３４と一体的に形成し、他方を内側絶縁パッキン３５と一体的に形成するようにしてもよい。
【００８２】
上記実施形態において、凹部２１１を蓋体２１に対して一体的に成型し、凸部３４３を外側絶縁パッキン３４に対して一体的に成型したが、これに限定されるものではなく、例えば、凹部２１１又は凸部３４３は、蓋体２１又は外側絶縁パッキン３４に対して別部材として形成し、それを製造過程において蓋体２１又は外側絶縁パッキン３４に対して取り付けたものであってもよい。但し、製造過程における部品点数や完成後の強度を考慮すれば、上記実施形態と同様に、一体成型することが好ましいことは言うまでもない。
【００８３】
上記実施形態において、接続杆３２のリベット３３回りの回転を規制すべく、外側絶縁パッキン３４に対して接続杆３２の外周を包囲する枠状の外側回転規制部３４０を設けたが、これに限定されるものではなく、接続杆３２のリベット３３回りの回転を規制する回転規制部３４０は、接続杆３２がリベット３３回りで回転しようとしたときに該接続杆３２が接触するように設ければよい。すなわち、回転規制部３４０は、接続杆３２に対して部分的に接触するように、接続杆３２の外周の一部と対向するように設けてもよい。
【００８４】
上記実施形態において、外側絶縁パッキン３４を外側介装部３４１と外側回転規制部３４０とで構成したが、これに限定されるものではなく、例えば、外側絶縁パッキン３４を外側介装部３４１のみで構成してもよい。また、内側絶縁パッキン３５についても内側介装部３５１のみで構成してもよい。但し、接続杆３２と接続対象物Ｂとの電気的な接続を良好な状態で維持させ、また、確実な電気絶縁を図るには、上記実施形態と同様に外側回転規制部３４０や内側回転規制部３５０を設けることが好ましいことは言うまでもない。
【００８５】
上記実施形態において、外部端子３１ａとなるボルト３１に六角ボルトを採用するのに合わせて、ボルト収容凹部３４４の外形をボルト３１の頭部３１ｂに対応させて六角形状に形成することで、該ボルト収容凹部３４４の内周面上の平面部でボルト３１の回り止めを達成するようにしたが、これに限定されるものではなく、例えば、ボルト３１の頭部３１ｂを三角形状や四角形状の多角形状に形成し、これに合わせてボルト収容凹部３４４の外形をボルト３１の頭部３１ｂの外形を三角形状や四角形状等の多角形状に形成し、頭部３１ｂの外周面上の平面部とボルト収容凹部３４４の内周面上の平面部とが接触又は略接触するようにボルト３１の頭部３１ｂをボルト収容凹部３４４内に収容するようにしてもよい。このようにすることで、上記実施形態と同様にボルト３１の回り止めを達成することができる。
【００８６】
上記実施形態において、外部端子３１ａとなるボルト３１に六角ボルトを採用し、ボルト収容凹部３４４の外形をボルト３１の頭部３１ｂに対応させて六角形状に形成し、該ボルト収容凹部３４４の内周面上の平面部でボルト３１の回り止めを達成するようにしたが、これに限定されるものではなく、例えば、ボルト収容凹部３４４は、ボルト３１の頭部３１ｂが内部で回転できる形状やサイズに設定したものであってもよい。この場合、例えば、ボルト３１の頭部３１ｂの接続杆３２と対向する面に滑り止めを施したり、頭部３１ｂと接続杆３２との間に座金を介装したりすることでボルト３１の回り止めを施すことができる。
【００８７】
上記実施形態において、凹部２１１及び凸部３４３の外形を六角形状に形成したが、これに限定されるものではなく、例えば、凹部２１１及び凸部３４３の外形を円形状に形成したり、六角形状以外の多角形状に形成したりしてもよい。なお、外側絶縁パッキン３４のリベット３３の挿通された部分近傍での破損を防止するには、外部端子３１ａ（ボルト３１）を中止として作用する回転力をリベット３３側で作用させないことが好ましい。すなわち、凹部２１１及び凸部３４３を多角形状に形成し、凹部２１１の内周面上の平面部と凸部３４３の外周面上の平面部とを接触又は略接触させた状態で、凹部２１１に凸部３４３を嵌合させることが好ましい。このようにすることで、外部端子３１ａを中心として作用する回転力に対して蓋体２１に形成された凹部２１１又は凸部３４３を画定する平面部が対抗することになるため、リベット３３が外側絶縁パッキン３４に作用する回転力に対抗することを抑制することができる。これにより、外側絶縁パッキン３４のリベット３３近傍の部分に対してリベット３３からの反力（回転力に対抗する力）が作用するのを抑制又はなくすことができ、当該部分で外側絶縁パッキン３４が破損することを抑制することができる。
【符号の説明】
【００８８】
１…電池、２…電池外装体、３ａ，３ｂ…端子構造体、５…リベット挿通穴（貫通した穴）、２０…ケース、２１…蓋体、３０…集電体、３１…ボルト、３１ａ…外部端子（雄ネジ部）、３１ｂ…頭部、３２…接続杆、３３…リベット、３４…外側絶縁パッキン（絶縁パッキン）、３５…内側絶縁パッキン（絶縁パッキン）、３６…環状絶縁パッキン（絶縁パッキン）、２１０…貫通穴、２１１…凹部、２１５…膨出部、３００…電極接続部、３０１…連結部、３０２…集電体リベット挿通穴（貫通した穴）、３２０…接続杆リベット挿通穴（貫通した穴）、３２１…ボルト挿通穴（貫通した穴）、３４０…外側回転規制部、３４１…外側介装部、３４２…第一リベット挿通穴（貫通した穴）、３４３…凸部、３４４…ボルト収容凹部、３５０…内側回転規制部、３５１…内側介装部、３５２…第三リベット挿通穴（貫通した穴）、３６０…第二リベット挿通穴（貫通した穴）、Ｂ…バスバー（接続対象物）
【図１】
0005588712.tif 000002
【図２】
0005588712.tif 000003
【図３】
0005588712.tif 000004
【図４】
0005588712.tif 000005
【図５】
0005588712.tif 000006
【図６】
0005588712.tif 000007
【図７】
0005588712.tif 000008